(57)【特許請求の範囲】
【請求項１】
作動装置（９）と、少なくとも１つの固定接触子（５）と、接触ブリッジのような少なくとも１つの切替接触子（８）を載せた、前記作動装置（９）により２つの地点間を移動できるスライド（７）と、一方の地点で前記固定接触子（５）から離れ、他方の地点で前記固定接触子（５）に支えられる切替接触子（８）と、前記スライド（７）が２地点の間を一種のスナップ運動で切り替わることができるように、前記スライド（７）と相互作用する弾性手段とを備えた、電動工具のための電気スイッチにおいて、該弾性手段を第１スプリング（１０）として設計し、前記スライド（７）上にプレッシャーポイントスプリングのように配置すると共に、前記スライド（７）の移動の間、該第１スプリング（１０）が前記スライド（７）に対して固定され、切替ポイントつめ（１１，１１’）と相互作用し、プレッシャーポイントを越えると到達される切替ポイントに至るまで、スプリング力が前記スライド（７）の移動の方向と反対に働くようにプレッシャーポイントを生成し、
前記スライド（７）上に、さらに第２スプリング（１２）を設け、切替の間に、該第２スプリング（１２）にさらなるスプリング力を発生させ、該さらなるスプリング力を、前記切替ポイントに至るまでは前記スライド（７）の移動する方向とは反対に作用させ、該切替ポイントを越えた時は前記スライド（７）の移動する方向に作用させ、
前記第２スプリング（１２）を、圧縮バネとして設計すると共に、一方の位置からの切替の際、元に戻ろうとする力が前記スライド（７）の移動する方向とは反対に作用するように、前記切替ポイントに到るまでのプレッシャーポイントを生成する間、該第２スプリング（１２）を圧縮する一方、該切替ポイントを越えた時は前記スライド（７）の移動する方向に力が作用するように、該第２スプリング（１２）を弛緩させる、電気スイッチ。
【請求項２】
前記スライド（７）上のガイド（１４）を移動できるようにスライド部材（１３）を配置し、前記スライド部材（１３）を、前記第２スプリング（１２）に作用するための前記スライド（７）、及び前記作動装置（９）の両方と協働させ、さらに、前記スライド部材（１３）上に、前記スライド（７）に配置される２つの拡張部（１５，１５’）を設けると共に、該拡張部（１５，１５’）を該ガイド（１４）と相互作用させ、一方の該拡張部（１５，１５’）を、それぞれ該第２スプリング（１２）の一方の端に作用させることを特徴とする請求項１に記載の電気スイッチ。
【請求項３】
前記スライド（７）上に、前記第２スプリング（１２）のための長方形の室のような受容器（１６）を設け、前記スライド部材（１３）のためのガイド（１４）を両側で該受容器（１６）に隣接させ、さらに、該スライド部材（１３）上に設けられた前記拡張部（１５，１５’）の各々が、該第２スプリング（１２）の関連する側の端に作用するための該受容器（１６）内にガイドされるように、該受容器（１６）に、該ガイド（１４）に対応する開口部（１７）を両側に設けることを特徴とする請求項２に記載の電気スイッチ。
【請求項４】
前記拡張部（１５，１５）の各々につき１つの止め具（１８，１８’）が対応するように、前記スライド部材（１３）上に止め具（１８，１８’）を設けると共に、該止め具（１８，１８’）を前記受容器（１６）上の対応する止め具（１９，１９’）と相互作用させ、前記対応する止め具（１９，１９’）を、前記ガイド（１４）及び前記受容器（１６）の間の変わり目に位置する室壁とし、さらに、２つの対応する止め具（１８，１９，１８’、１９’）の間に動きうる隙間を設けるため、該スライド部材（１３）を作動すると、まず前記第２スプリング（１２）に作用し、動きうる隙間がなくなった後に該スライド（７）が一方の地点から他方の地点の方向に移動することを特徴とする請求項３に記載の電気スイッチ。
【請求項５】
弾性脚（２０）を持つ板バネとして、前記第１スプリング（１０）を設計し、該板バネ（１０）を前記スライド（７）の動く面にほぼ平行に配置し、さらに、ほぼＶ字型の突出部（２１）を弾性脚（２０）の端に設け、該Ｖ字型の突出部（２１）をまた、前記切替ポイントつめ（１１）上の対応する拡張部分（２２）と相互に作用させると共に、該拡張部分（２２）を前記スイッチ（１）のハウジング（２）の内壁上に設けることを特徴とする請求項１〜４のいずれか１項に記載の電気スイッチ。
【請求項６】
前記板バネ（１０）を、Ｕ字のような、２つの弾性脚（２０，２０’）を持つ弓の形に設計すると共に、各弾性脚（２０，２０’）を、前記ハウジング（２）の互いに向かい合う２つの内壁上の前記切替ポイントつめ（１１，１１’）と相互作用させ、さらに、該板バネ（１０）のためのホルダ（２３）を前記スライド（７）上に設けると共に、該ホルダ（２３）を、前記受容器（１６）に対向する側のガイド（１４）の端に設けるため、Ｕ字型の板バネ（１０）の基部を該ホルダ（２３）内に差し込むことができることを特徴とする請求項５に記載の電気スイッチ。
【請求項７】
前記スライド部材（１３）上に、圧縮バネとして設計されるさらなる第３スプリング（２４）を設け、該スライド部材（１３）を作動した時に元に戻ろうとする力が働くように、該第３スプリング（２４）の一方の端が該スライド部材に固定された止め具（２５）に支えられ、他方の端がハウジングに固定された止め具（２６）に支えられるようにし、さらに、該第３スプリング（２４）を収納するために、一種の長方形の室（２７）を該スライド部材（１３）上に配置し、該スライド部材に固定された止め具（２５）を室（２７）の壁によって形成する一方、該ハウジングに固定された止め具（２６）を室（２７）内に突出させることを特徴とする請求項２〜６のいずれか１項に記載の電気スイッチ。
【請求項８】
スプリング圧力により前記固定接触子（５）に支えられる状態になるように、前記切替接触子（８）に圧縮バネ（２８）を備えさせると共に、前記第１スプリング（１０）及び第２スプリング（１２）を、前記スライド（７）の一方の側に配置し、該切替接触子（８）を、該スライド（７）の反対の側に配置し、該第１及び第２スプリング（１０，１２）を、前記スライド部材（１３）に面した側の前記スライド（７）上に、該切替接触子（８）を、該スライド部材（１３）に面しない側の前記スライド（７）上に配置することを特徴とする請求項２〜７のいずれか１項に記載の電気スイッチ。
【請求項９】
前記切替ポイントで作用する第１スプリング（１０）のスプリング力が、全ての前記切替接触子（８）で圧縮バネ（２８）によって作用するスプリング力の合計と少なくとも同じぐらい大きいバネ定数を前記第１スプリング（１０）が有し、前記切替ポイントつめ（１１，１１’）の拡張部分（２２）が異なる傾きを有する側面（２９，２９’）を持つ非均整の設計からなり、なだらかな側面（２９）が前記切替接触子（８）が前記固定接触子（５）から離れている一方の地点に面し、険しい側面（２９’）が前記切替接触子（８）が前記固定接触子（５）に支えられている他方の地点に面していることを特徴とする請求項８に記載の電気スイッチ。
【請求項１０】
電動工具は、ボール盤である請求項１〜９のいずれか１項に記載の電気スイッチ。
【請求項１１】
電動工具は、ディスクグラインダである請求項１〜９のいずれか１項に記載の電気スイッチ。
【発明の詳細な説明】
【０００１】
本発明は、特許請求の範囲の請求項１に特徴を示す電気スイッチに関する。
このような電気スイッチは、ボール盤、ディスクグラインダのような、特に、直流電流で操作される電動工具におけるオン／オフスイッチとして働く。
ドイツ特許公報第３１  ２６  ８１６  Ｃ２号は、電動工具のための電気スイッチを開示している。そのスイッチは、接触ブリッジのような切替接触子を備えており、該切替接触子は、スライド及び関連する固定接触子上に配置される。該スライドは、手動で作動可能な作動装置により２地点間を移動することができる。該切替接触子は、一方の地点で、すなわちオフの位置で固定接触子から離れ、もう一方の地点で、すなわちオンの位置で固定接触子に支えられる。ねじりバネとして設計される弾性手段がスライド及び作動装置と相互に作用するため、スライドは一種のスナップ運動で２地点の間を切り替えられる。
【０００２】
２地点の間での切替の際には、莫大なバネエネルギーがねじりバネに蓄えられる。このバネエネルギーは、切替ポイントに到達するまで、作動装置に対する手動操作により導入される。このバネエネルギーは、スナップ運動により切替ポイントを越えると、突然解き放たれる。特に、オフ位置からオン位置への切替の際、切替及び固定接触子間のチャタリングが起こることがわかっているが、これはスイッチの耐用年数を縮めてしまう。
【０００３】
本発明の目的は、上記スイッチをさらに改良して、耐用年数を延ばすとともに、特に、スイッチの接触によるチャタリングを減らすことである。
この目的は、請求項１で特定される特徴を有する包括的なタイプの電気スイッチにおいて達成される。
【０００４】
本発明のスイッチの弾性手段は、プレッシャーポイントスプリングのような第１スプリングとして設計される。スライドの移動の間、第１スプリングは、プレッシャーポイントを発生させるための切替ポイントつめと相互に作用する。その結果、スプリング力は、切替ポイントに至るまではスライドの移動とは反対の方向に作用し、切替接触子が固定接触子に接近するにつれて、オフ位置からオン位置へのスライドの移動がまずゆっくりと行われる。一旦切替ポイントを越えると、切替ポイントと固定接触子との間に残されていた間隔がスライドのスナップ運動により詰められる。スナップ運動はこの狭い間隔を詰めるときにのみ起こるので、接触によるチャタリングは大幅に取り除かれる。本発明のさらなる改良を従属項に述べる。
【０００５】
弾性手段を、好ましくは、スライド上に位置する第１スプリング及び第２スプリングの組み合わせとして設計する。スライドが移動する際、第２スプリングはさらなるスプリング力を生み出し、さらなるスプリング力は切替ポイントに至るまでスライドの移動とは反対の方向に作用し、切替ポイントを越えるとスライドの移動の方向に作用する。この結果、第２スプリングは、スライドのスナップ運動の間、補助的な役割を果たす。オン位置からオフ位置への切替の際、スライドはまず静止状態に留まり、切替接触子は、切替ポイントに到達するまで固定接触子に支えられた状態に留まる。切替ポイントを越えると、切替接触子は、スライドのスナップ運動により固定接触子から突然切り離され、この結果、発生する可能性のある火花はすぐに消し止められる。このことは、特に直流電流操作における接触子の破壊を効率的に妨げる。
【０００６】
第２スプリングを圧縮バネとして設計する。一方の地点からスライドが移動する際、この圧縮バネは、切替ポイントに到達するまでプレッシャーポイントを発生させる間に圧縮される。その結果、元に戻ろうとする力がスライドの移動とは反対の方向に働く。切替ポイントを越えると圧縮バネは弛緩し、その間、力はスライドの動きの方向に作用する。
【０００７】
例えばスライド部材により、作動装置から接触装置へ手動による作動を伝える。このために、スライド部材は、第２スプリングに作用することにより、スライドと作動装置との両方と協働する。スライド上のガイドを移動できるように、スライド部材を配置する。スライド部材上にはスライドに配置される２つの拡張部を設けるが、この場合、一方で、拡張部はガイドと相互に作用し、他方で、一方の拡張部が第２スプリングの一方の端に作用するように配置する。
【０００８】
さらに改良する場合、スライド上に、第２スプリングのための長方形の室のような受容器を設ける。スライド部材のガイドは、両側で受容器と隣接する。受容器は、これら２つの側でガイドに対応する開口部を有するので、スライド部材上に設けられた各拡張部は、第２スプリングの関連する端に作用するために受容器内にガイドされる。
【０００９】
さらに、スライド部材上の拡張部それぞれに、止め具を配置する。この止め具は、受容器上の対応する止め具、例えば、ガイドと受容器との間の変わり目に位置する室壁と相互に作用する。２つの対応する止め具の間には、動きうる隙間があるのが好ましく、スライド部材を作動すると、まず第２スプリングに作用し、動きうる隙間がなくなると、スライドは関連する対応する止め具により一方の地点から他方の地点の方向に移動する。この動きうる隙間は、切替の間の一連の動きを補助し、特に、オン位置からオフ位置への切替時のスナップ運動及び突然の接触切り離しに関連する。
【００１０】
さらに改良する場合、第１スプリングを、弾性脚を持つ板バネとして設計する。板バネは、スライドの動く面とほぼ平行に配置する。弾性脚の先端には、ほぼＶ字型の突出部を設けており、このＶ字型突出部は、切替ポイントつめの対応する拡張部分と相互に作用する。拡張部分は、スイッチのハウジングの内壁上に位置する。板バネを、便宜上、Ｕ字のような２つの弾性脚を持つ弓の形に設計する。スライド上に、板バネのためのホルダを設け、そのホルダを、受容器に対向する側のガイドの端に配置する。その結果、Ｕ字型の板バネの基部を、固定のためにホルダに挿入できる。
【００１１】
最後に、スライド部材上に、圧縮バネとして設計されるさらなる第３スプリングを配置する。第３スプリングの一方の端は、スライド部材に固定された止め具に支えられ、他方の端は、ハウジングに固定された止め具に支えられる。その結果、スライド部材を作動すると元に戻ろうとする力が働き、同時にこの元に戻ろうとする力が、作動装置への手動操作を終了するとすぐに作動装置をリセットする役割を果たす。スライド部材上には、第３スプリングを収納するために一種の長方形の室を設ける。ハウジングに固定された止め具が室内に突出する一方で、スライド部材に固定された止め具は、室の壁により形成されるのが好ましい。
【００１２】
切替接触子は同様に、それ自身、圧縮バネを備える。そのため、切替接触子は、オン位置でスプリング圧力により固定接触子に支えられる状態になる。この場合、第１、第２スプリングをスライドの一方の側に設け、切替接触子をスライドの反対側である他方の側に設ける。圧縮バネを持つ切替接触子は、スライド部材に面していない側のスライド上に配置するようにする。
【００１３】
第１スプリングは、便宜上、切替ポイントで働く第１スプリングのスプリング力が全ての切替接触子で圧縮バネによって働くスプリング力の合計と少なくとも同じぐらい大きいバネ定数を有するべきである。これにより、オン位置からオフ位置への切替の際、切替ポイントでは迅速な接触切り離しが確実に行われる。さらに、切替ポイントつめの拡張部分が、異なる傾きを有するように非均整に設計されると好都合である。この場合、険しい側面はオフ位置に面し、なだらかな側面はオン位置に面するように配置する。このことは、一方で、オフ位置からオン位置への切替の際、切替ポイントに到達するまで、すでに述べたゆっくりとした接触子への接近が行われることを確実にする。他方でまた、切替接触子における圧縮バネの力と相互に作用して、オン位置からオフ位置への切替の際、切替ポイントに到達する前の接触切り離しを確実に不可能にする。
【００１４】
本発明により達成される利点は、特に、オフ位置からオン位置への切替の際の接触子のチャタリングが大きく回避されることである。オン位置からオフ位置に切り替え直すとき、接触装置は迅速かつ突然に切り離されるので接触による浸食が軽減される。接触装置の耐用年数は、従って、従来のスイッチと比較して延長される。
【００１５】
また、直流電流を切り替えるためにスイッチを使用する際に起こる火花が迅速に消える。そのため、火花による接触装置の破壊を効率的に防ぐ。本発明のスイッチは、従って切替能力の大きいものに適している。
スイッチの部品が移動可能であることにより、従来と比較して摩擦が少なくなる。その結果、摩滅が少なく、スイッチの耐用年数はさらに延びる。
【００１６】
本発明のスイッチはまた、好都合なことに、従来のスイッチに比べて、オン位置とオフ位置との間のヒステリシスが小さい。そのため、ユーザは、より均等にスイッチングを検知することができる。
さらに、本スイッチの部品は少なく、これらの部品は単純で費用効率が高い。さらに、本スイッチは取り付けが簡単である。本発明のスイッチは、従って、費用効率の高い方法で製造できる。
【００１７】
以下に、図を参照しながら本発明の実施例を様々な展開も併せて詳細に記述する。
電動工具に作用する電気スイッチ１を、図１の分解斜視図に示す。電動工具は、ボール盤、ディスクグラインダのようなものであればよい。特に、スイッチ１は、直流電流で操作される電動工具に適している。
【００１８】
スイッチ１は、基部３と蓋４とからなるハウジング２を備える。基部３には、少なくとも１つの固定接触子５が設けられる。本実施例の場合、全部で４つの固定接触子５が設けられており、スイッチ１は、２つの電流路を切り替えることができる。電気接続部６上には固定接触子５が配置されていて、電気接続部６により、電動工具の電気スイッチ１へのフィードラインは接続される。ハウジング２には、スライド７が設けられていて、（図２に示すように）スライド７の下側に、少なくとも１つの切替接触子８を配置する。本実施例の場合、スイッチ１は、２つの電流路のための２つの切替接触子８を有している。
【００１９】
スイッチ１の蓋４の上には作動装置９を設けており、それを使ってスライド７は２つの地点を移動することができる。一方の地点、すなわち図５に示す第１地点またはオフ位置において、切替接触子８は、固定接触子５から離れた状態にある。そのため、スイッチ１はオフの状態である。他方の地点、すなわち図６に示す第２地点またはオン位置において、切替接触子８は、固定接触子５に支えられている。そのため、スイッチ１はオンの状態である。切替接触子８が、第２地点において、２つの関連する固定接触子５をそれぞれ橋絡するように、図６に示すように、切替接触子８を接触ブリッジのように設計することが好ましい。
【００２０】
スライド７と相互作用するのは弾性手段であり、スライド７上にプレッシャーポイントスプリングのように配置される第１スプリング１０として設計する。図４でより詳細に示される切替ポイントつめ１１は、蓋４に設けられる。作動装置９を作動することにより起こるスライド７の移動の際に、第１スプリング１０はスライド７に対して固定され、切替ポイントつめ１１と相互に作用して、切替ポイントに至るまでスプリング力がスライド７の移動の方向と反対に働くようにプレッシャーポイントを発生させる。切替ポイントは、プレッシャーポイントを越えた場合に到達される点である。切替ポイントを越えると、第１スプリング１０の蓄えられたバネエネルギーが解放され、それによりスライド７は２地点の間をスナップ運動により切り替わることが可能になる。
【００２１】
本発明のスイッチ１の様々な展開を以下により詳細に示す。
図１からわかるように、さらなる第２スプリング１２をスライド７上に設ける。この第２スプリング１２は、スライド７の切替の際、すなわち移動の際に付加的なスプリング力を生み出す。この付加的なスプリング力は、切替ポイントに至るまでスライドの移動の方向とは反対に働く。切替ポイントを越えると、このさらなるスプリング力はスライド７の移動の方向に働く。その結果、スライド７のスナップ運動を補助する。スライド７と相互作用する弾性手段が、第１スプリング１０と第２スプリング１２との組み合わせとして設計されると特に好ましい。
【００２２】
第２スプリング１２を圧縮バネとして設計する。スライド７の切替の際、すなわち一方の位置からの移動の際、切替ポイントに到達するまでプレッシャーポイントを発生させる間、第２スプリング１２は圧縮される。その結果、元に戻ろうとする力がスライド７の移動とは反対の方向に働く。切替ポイントを越えると、第２スプリング１２は緩められ、スライド７の移動の方向に力が働く。この力が、スライド７をスナップ運動で他方の位置に動かし、あるいはまた第１スプリングのスナップ運動を補助する。
【００２３】
スライド部材１３は、作動装置９の作動をスライド７に伝える役割をする。スライド部材１３は、作動装置９と協働して第２スプリングに作用する。スライド部材１３は、スライド７上のガイド１４内を移動できるように配置される。スライド部材１３に設けられた２つの拡張部１５，１５’は、図３からわかるように、ガイド１４上に位置する。拡張部１５，１５’は、ガイド１４と相互に作用するため、スライド部材１３は、スライド７の移動の方向にガイドされる。拡張部１５，１５’のそれぞれが第２スプリング１２のそれぞれの端に作用する。
【００２４】
スライド７上に、第２スプリング１２の受容器１６を設ける。図１からわかるように、受容器１６は、長方形の室のように構成される。スライド部材１３のガイド１４は、両側で受容器１６に隣接する。さらに、受容器１６は、両側にガイド１４に対応する開口部１７を有しているので、スライド部材１３上に設けられた各拡張部１５，１５’は、第２スプリングの関連する端に作用するために、受容器１６にガイドされることができる。
【００２５】
スライド部材１３上には、止め具１８，１８’が配置されており、特に各拡張部１５又は１５’に１つの止め具１８又は１８’というように配置される。止め具１８，１８’は、受容器１６上の対応する止め具１９，１９’と相互に作用する。止め具１９，１９’は、ガイド１４と受容器１６との間の変わり目に位置する室壁であってもよい。２つの対応する止め具１８，１９及び１８’、１９’の間には、それぞれ動きうる隙間があり、スライド部材１３を作動すると、まず第２スプリング１２に作用し、動きうる隙間がなくなった後に、スライド７は一方の位置から他方の位置の方向へ移動する。
【００２６】
改良を加えた場合、第１スプリング１０を、図４により詳細に示すように、弾性脚を持つ板バネとして設計する。板バネ１０は、スライド７が動く面にほぼ平行に配置される。ほぼＶ字型の突出部２１を弾性脚２０の端に設ける。Ｖ字型の突出部２１は、切替ポイントつめ１１上の対応する拡張部分２２と相互に作用する。拡張部分２２は、スイッチ１のハウジング２の内壁上、特に蓋４に設ける。
【００２７】
図４からわかるように、板バネ１０を、Ｕ字型になるように、２つの弾性脚２０，２０’を持つ弓の形に設計するのが好ましい。この場合、弾性脚２０，２０’のそれぞれは、互いに対向するハウジング２の２つの内壁上のそれぞれの切替ポイントつめ１１，１１’と相互に作用する。固定のために、スライド７上に板バネ１０のためのホルダ２３を設ける。ホルダ２３は、受容器１６に対向する側のガイド１４の端に設けられる。その結果、Ｕ字型の板バネ１０の基部をホルダ２３に差し込むことができる。
【００２８】
最後に、スライド部材１３上に、図３に見られるような圧縮バネとして設計される第３スプリング２４を設ける。第３スプリング２４の一方の端は、スライド部材に固定された止め具２５に支えられ、第３スプリングの他方の端は、ハウジングに固定された止め具２６に支えられる。その結果、スライド部材１３を作動すると、元に戻ろうとする力が働く。図１に示すように、一種の長方形の室２７を、第３スプリング２４を収納するためにスライド部材１３上に便宜上設け、スライド部材に固定された止め具２５を、室２７の壁により形成する。ハウジングに固定された止め具２６は、蓋４にしっかりと固定されていて、図３からわかるように、室２７内に突出している。
【００２９】
特に図２に見られるように、切替接触子８は、圧縮バネ２８を備える。その結果、切替接触子８は、スプリングの圧力により、固定接触子５に支えられる。第１スプリング１０と第２スプリング１２を、スライド７の一方の側、すなわちスライド部材１３に面する側に配置する一方、切替接触子８を、圧縮バネ２８と共に、スライド７の他方の側、すなわちスライド部材１３に面していない側に配置する。
【００３０】
第１スプリング１０は、切替ポイントで働く第１スプリング１０のスプリング力が、全ての切替接触子８で圧縮バネ２８によって働くスプリング力の合計と少なくとも同じ大きさのバネ定数を持つように選択されるのが好ましい。さらに、図４に見られるように、切替ポイントつめ１１，１１'の拡張部分２２を不均整に設計すると好都合である。なだらかな側面２９は、図５に示す第１地点に面し、切替接触子８は、固定接触子５から離れた状態にある。険しい側面２９'は、図６に示す地点に面し、切替接触子８は、固定接触子５に支えられる。
【００３１】
切替時のスイッチ１のスイッチング操作を、以下に詳細に説明する。
図５のようにスイッチ１がオフ位置にある場合、作動装置９はユーザによりスイッチをオンにするために手動で操作される。その過程で、スライド部材１３は、その拡張部１５と共に、まず第２スプリング１２の左の端に作用し、それにより第２スプリングは圧縮される。動きうる隙間がなくなると、拡張部１５上の止め具１８が受容器１６の対応する止め具１９に作用し、スライド７をオン位置の方向である右方向に動かす。なだらかな側面２９（図４参照）及び第１スプリング１０の対向するスプリング力のために、この動きは、図７に示すように、切替ポイントに到達するまでゆっくりとした動作で進行する。切替ポイントを越えると、第１及び第２スプリング１０，１２に蓄えられたエネルギーが、突然解放され、スライド７は、スナップ運動で右方向に移動する。その過程で、図６に示すオン位置に到達し、圧縮バネ２８（図３参照）は、固定接触子５に支えられる切替接触子８のために圧縮される。
【００３２】
スイッチをオフにするためには、ユーザは作動装置９を解除する。すると作動装置９は、第３スプリング２４（図３参照）の元に戻ろうとする力のせいで、スライド部材１３によりリセットされる。スライド部材１３のリセット動作の間、拡張部１５’はまず第２スプリング１２の右端に作用し、動きうる隙間を利用しながら第２スプリング１２を圧縮する。その過程で、スライド７はフリーホイールのような静止した状態に留まり、切替接触子８及び固定接触子５の間の図６に示すオン位置は維持される。拡張部１５’の止め具１８’は、対応する止め具１９’に作用し、その間にスライド７は、険しい側面２９’（図４参照）及び第１スプリング１０の対向するスプリング力のせいで、オフ位置の方向である左にわずかに移動する。しかしながら、切替接触子８上の弛緩した圧縮バネ２８（図３参照）のスプリング力のせいで切替接触子８は、固定接触子５に支えられた状態を保ち、図８に見られるように、切替ポイントに到達するまでオン位置に保たれる。切替ポイントを越えると、第１第２スプリング１０，１２に蓄えられたエネルギーが再び突然解放され、スライド７はスナップ運動で左に移動し、切替接触子８は突然固定接触子５から離れ、図５に示すようにオフ位置に到達する。
【００３３】
本発明は、ここに説明され示された例に制限されない。むしろ、本発明は、本発明の考えの範囲内で当業者によって実行されることができる全ての展開もまた包含する。例えば、本発明のスイッチは、電動工具に使用されるだけでなく、電動園芸道具、家庭電化製品などにも使用できる。
【図面の簡単な説明】
【図１】 電気スイッチの斜視分解図である。
【図２】 単一部品としてのスイッチのスライドの下側を示す図である。
【図３】 図１の電気スイッチを線３−３で切断した縦断面を示す図である。
【図４】 図３を線４−４で切断した断面を示す図である。
【図５】 図４におけるオフ位置のスイッチを示すが、通常隠れている機能部分がはっきりと示されている図である。
【図６】 オン位置の図５のスイッチを示す図である。
【図７】 オフ位置からオン位置に切り替わる際の図５のスイッチを示す図である。
【図８】 オン位置からオフ位置に切り替わる際の図５のスイッチを示す図である。
１： 電気スイッチ ２： ハウジング ３： 基部 ４： 蓋 ５： 固定接触子 ６： 電気接続部 ７： スライド ８： 切替接触子 ９： 作動装置 １０： 第１スプリング／板バネ
１１，１１'： 切替ポイントつめ １２： 第２スプリング １３： スライド部材 １４： ガイド １５，１５'： （スライド部材上の）拡張部 １６： 受容器 １７： （受容器上の）開口部 １８，１８'： （拡張部上の）止め具 １９，１９'： （受容器上の）止め具
２０，２０'： （第１スプリングの）脚 ２１： 突出部 ２２： （切替ポイントつめ上の）拡張部分 ２３： ホルダ ２４： 第３スプリング ２５： スライド部材に固定された止め具 ２６： ハウジングに固定された止め具 ２７： （第３スプリングのための）室
２８： （切替接触子のための）圧縮バネ ２９，２９'： （切替ポイントつめの拡張部分上の）側面
【図１】
0004424853.tif 000002
【図２】
0004424853.tif 000003
【図３】
0004424853.tif 000004
【図４】
0004424853.tif 000005
【図５】
0004424853.tif 000006
【図６】
0004424853.tif 000007
【図７】
0004424853.tif 000008
【図８】
0004424853.tif 000009